(57)【特許請求の範囲】
【請求項１】
絞部を有するガラス管棒をその軸方向で可動に支持すると共に、該ガラス管棒を前記軸方向と直交する方向に搬送するローラーチェーンと、該ローラーチェーンにより前記搬送方向に前進する前記ガラス管棒の絞部に摺接して該ガラス管棒を案内するガイドプレートと、該ガイドプレートによって案内された前記ガラス管棒を切断するカッターとを含むガラス管棒切断装置において、前記ガイドプレートと前記カッターとを２つずつ有し、前記２つのガイドプレートが前記ローラーチェーンの両側に前記搬送方向に沿ってそれぞれずらして配置されるとともに、前記２つのガイドプレートの各々が前記２つのカッターのいずれか一方と一体と成って、且つ前記ガイドプレートが前記ガラス管棒の絞部の内側斜面を一定の力で押圧して該ガラス管棒を前記軸方向で移動させるように、前記軸方向に対して傾斜して配置されていることを特徴とするガラス管棒切断装置。
【請求項２】
前記ガイドプレートによって案内される前記ガラス管棒の絞部を加熱する切断バーナーが設けられていることを特徴とする請求項１記載のガラス管棒切断装置。
【発明の詳細な説明】
【０００１】
【産業上の利用分野】
本発明は、ガラス管棒、即ち、ガラス管及びガラス棒の切断装置に関し、特に蛍光灯用のガラス管の切断に適した切断装置に関するものである。
【０００２】
【従来の技術】
従来のガラス管棒切断装置には、絞部を有するガラス管棒をその軸方向で可動に支持すると共に、該ガラス管棒を前記軸方向と直交する方向に搬送するローラーチェーンと、該ローラーチェーンにより前記搬送方向に前進する前記ガラス管棒の絞部に摺接して該ガラス管棒を案内するガイドプレートと、該ガイドプレートによって案内された前記ガラス管棒を切断するカッターと、搬送機構のローラーチェーンとは別のヘッドローラーチェーンと、更にこのヘッドローラーチェーンを駆動する駆動機構を備えたものがある。ローラーチェーンは千鳥状に配置された多数のローラを有し、これらのローラは回転するように成っており、ローラーチェーンにより搬送されるガラス管棒は、その軸線を中心に回転しながら搬送される。
【０００３】
ヘッドローラーチェーンは、ローラーチェーンと同様に多数の回転するローラを有し、ガラス管棒がガイドプレートによって案内される際に、ガラス管棒の非切断側を一方のローラーチェーンから少し浮き上がらせた状態で支持する。駆動機構は、ガラス管棒の非切断側が切断側よりも進んだ位相を保持するようにして、ヘッドローラーチェーンをローラーチェーンと同期回転させる。このため、ガラス管棒がガイドプレートによって案内される間、ガラス管棒は、その軸方向が搬送方向と直交する方向に対して傾いた状態を維持して、この軸線を中心に回転しながら搬送される。この際、ガラス管棒にはガイドプレート側への移動分力が生じ、ガラス管棒の絞部の斜面にガイドプレートが押圧することにより、ガラス管棒の切断基準点を一定に保持した状態でカッターを当接してガラス管棒を切断するように成っている（例えば、特開昭６０−２３５７３３号公報参照）。
【０００４】
【発明が解決しようとする課題】
しかしながら、前記ローラーチェーンとヘッドローラーチェーンとは各々独立した機構であって対応性がないため、位相をずらすことによる移動ではガラス管棒の軸方向への移動量にばらつきが生じるという欠点がある。また、通常、ガラス管棒の搬送時には、ガラス管棒の両端から略等距離の部位をローラーチェーンで支持して搬送することが、ガラス管棒の支持バランスの面から好ましいが、従来はヘッドローラーチェーンのローラがガラス管棒の非切断面を支持する際に、前記支持バランスが損なわれ、特に短いガラス管棒の場合には、前記ローラーチェーン間が狭くなるために、支持バランスのズレが大きく影響し、ガラス管棒の安定性が悪くなり、その結果、ガイドプレートへのガラス管棒の押圧力が一定に保たれないという欠点がある。従って、この様な不安定な状態でガラス管棒の絞部を切断すると、その切断精度も十分に満足のいくものではなく、また、その切断面が段切り状に成ってしまうという問題がある。
【０００５】
それ故に、本発明の課題は、上記の従来の欠点を解消し、ガラス管棒の切断精度をより高くし、しかも、良好な切断面品位を得ることが可能なガラス管棒切断装置を提供することにある。
【０００６】
【課題を解決するための手段】
本発明によれば、絞部を有するガラス管棒をその軸方向で可動に支持すると共に、該ガラス管棒を前記軸方向と直交する方向に搬送するローラーチェーンと、該ローラーチェーンにより前記搬送方向に前進する前記ガラス管棒の絞部に摺接して該ガラス管棒を案内するガイドプレートと、該ガイドプレートによって案内された前記ガラス管棒を切断するカッターとを含むガラス管棒切断装置において、前記ガイドプレートと前記カッターとを２つずつ有し、前記２つのガイドプレートが前記ローラーチェーンの両側に前記搬送方向に沿ってそれぞれずらして配置されるとともに、前記２つのガイドプレートの各々が前記２つのカッターのいずれか一方と一体と成って、且つ前記ガイドプレートが前記ガラス管棒の絞部の内側斜面を一定の力で押圧して該ガラス管棒を前記軸方向で移動させるように、前記軸方向に対して傾斜して配置されていることを特徴とするガラス管棒切断装置。
【０００７】
【作用】
本発明のガラス管棒切断装置の場合、ガラス管棒がローラーチェーンによって搬送され、ガラス管棒の絞部がガイドプレートに摺接すると、ガイドプレートはガラス管棒の軸方向に対して傾斜して配置されているので、ガイドプレートは、上記搬送方向に進もうとするガラス管棒の絞部の内側斜面を押圧する。この時、ローラーチェーンは、ガラス管棒をその軸方向では可動に支持しているので、ガラス管棒は、その軸方向に沿って移動する。このように、ガイドプレートがガラス管棒を案内する間に、ガイドプレートはガラス管棒の絞部の内側斜面を一定の力で押圧するので、ガイドプレートと絞部の内側斜面とが常に一定した位置で接触する。この結果、ガラス管棒の所望切断部位が、正確にカッターに当接するように案内され、切断される。
【０００８】
本発明のガラス管棒切断装置の場合、ガラス管棒をその軸方向で移動させる力は、従来のように位相をずらせて回転するローラをガラス管棒に押し当てることにより発生させるのとは異なり、上記軸方向に対して傾斜させたガイドプレートをガラス管棒の絞部の内側斜面に摺接させることにより生じさせているので、従来のように、回転するローラによるガラス管棒の軸方向への移動量のばらつきやガイドプレートへの押圧力のばらつきが発生することがなく、平坦な切断面が得られる。
【０００９】
また、ガイドプレートとカッターを一体としていることにより、ガラス管棒の切口品種を調整する場合においても手間をかけずに容易に調整できる。
【００１０】
【実施例】
図１は本発明の一実施例によるガラス管棒切断装置の構成略図、図２は図１に示すガラス管棒切断装置に用いられているローラーチェーンの要部を示し、（ａ）は側面図、（ｂ）は水平断面図、図３は図１に示すガラス管棒切断装置の要部の構成略図、図４は図１に示すガラス管棒の要部の斜視図である。
【００１１】
図１乃至図４を参照して、このガラス管棒切断装置１は、ローラーチェーン２と、ガイドプレート３と、切断バーナ４と、カッター５とを有している。
【００１２】
ローラーチェーン２は、図２から明らかなよう、チェーン２０と、このチェーン２０に回転自在に取り付けられ、且つこのチェーン２０に沿って千鳥状に配されたローラ２１と、ローラ２１に取り付けられたスプロケット２２を介してローラ２１を回転させるチェーン２３と、前記チェーン２０を駆動するモータ（図示せず）とを有している。一対のローラーチェーン２は、互いに平行に無端状に架設され、一方のローラーチェーン２に備えられたローラ２１の回転軸と、他方のローラーチェーン２に備えられたローラ２１の回転軸とが同軸となるように架設してある。このローラーチェーン２によって搬送されるガラス管棒６は、両端部にそれぞれ絞部６０を有し、この絞部６０の側面は、図４から明らかなように、内側斜面６１、外側斜面６２と成っており、絞部６０の内側斜面６１には、ガラス管棒６を切断する際の基準点６３が決められている。ローラーチェーン２は、ガラス管棒６を両ローラーチェーン２，２間に掛け渡すようにして載置し、それぞれのローラーチェーン２において、ガラス管棒６の端部を隣り合うローラ２１間に挟持して、載置されたガラス管棒６が、その軸方向ａへ移動できるようにしてあり、この状態で、モータ（図示せず）の駆動力によりガラス管棒６の軸方向ａと直交する方向（以下、「搬送方向」と言う）ｂにガラス管棒６を搬送するものである。
【００１３】
ガイドプレート３は、平板状であり、各ローラーチェーン２の外側にそれぞれ搬送方向ｂに沿ってずらして配置してある。各ガイドプレート３は、それぞれローラーチェーン２により搬送方向ｂに沿って前進するガラス管棒６の絞部６０の内側斜面６１に摺接してこのガラス管棒６の切断部位がカッター５に当接するように案内するもので、各ガイドプレート３は、それぞれガラス管棒６の軸方向ａに対して傾斜させて配置してある。このようにガイドプレート３を傾斜させることにより、ガイドプレート３がローラーチェーン２により移動するガラス管棒６の絞部６０の内側斜面６１を押圧し、このガラス管棒６を軸方向ａに移動させるようにしてある。この傾斜方向は、ガイドプレート３がガラス管棒６の絞部６０の内側斜面６１を押圧して、このガラス管棒６を軸方向ａに移動させる分力が発生する方向としてある。これにより、ガイドプレート３は、常に、ガラス管棒６の基準点６３から一定距離だけ離れた絞部６０の内側斜面６１と摺接するように成っている。
【００１４】
切断バーナ４は、ガイドプレート３の外側側面に沿って配置され、ガラス管棒６がガイドプレート３によって案内される間にこのガラス管棒６の切断側の絞部６０を加熱するものである。
【００１５】
カッター５は、円盤状を呈し、ガイドプレート３の外側側面に沿って切断バーナ４と一列に配置され、モータ（図示せず）により回転するように成っている。また、カッター５の刃先には、図示しない手段により水が供給される構成としてあり、ガラス管棒６をヒートショックにより切断するように成っている。
【００１６】
図３から明らかなように、上述のガイドプレート３、切断バーナ４、及びカッター５は、各々が調整機能を持っており、調整可能としてあり、ベース７に取り付けられ、一体と成っている。そして、これらは、カッター５の回転軸延長線と直交する一鉛直線ｃを軸に回動できるようにしてある。従って、例えばガラス管棒６の品種変更に伴って切口品位を調整する場合においても搬送方向ｂに対するガイドプレート３の傾斜角度を調整することにより、切断バーナ４、及びカッター５が、一体的に調整できるように成っている。
【００１７】
次に、本実施例に係るガラス管棒切断装置の動作について説明する。
【００１８】
搬送機構のローラーチェーン２に載置されたガラス管棒６は、回転しながら搬送方向ｂに前進し、一方のガイドプレート３が、ガラス管棒６の絞部６０の内側斜面６１に摺接する。ガイドプレート３は、前記ガラス管棒６の軸方向ａに働く分力を発生させるように傾斜してあるため、前記内側斜面６１を押圧してガラス管棒６を軸方向ａに移動させる。ガラス管棒６は、ガイドプレート３が常にガラス管棒６の基準点６３から一定距離だけ離れた絞部６０の内側斜面６１に摺接した状態で搬送されながら切断バーナ４によって切断側の絞部６０が加熱される。そして、ガラス管棒６は、ガイドプレート３により案内されて、その所望の切断部位が回転するカッター５に当接して切断される。この時、カッター５は、図４に示すように、ガラス管棒６の基準点６３から所定長ｗの位置を切断するが、この所定長ｗは、上述のように、ガイドプレート３が常に基準点６３から一定距離だけ離れた絞部６０の内側斜面６１と摺接していることにより保たれる。
【００１９】
この様にして、一方の切断が終了したら、他方についても同様にして切断される。
【００２０】
尚、本実施例の場合、ガラス管棒６の両端をそれぞれ片方づつ順次切断するために２枚のガイドプレート３をそれぞれ搬送方向ｂに沿ってずらして設けてあるが、両端を同時に切断する場合には、ガイドプレート３を１枚だけ用いて、図１の二点鎖線で示すように、軸方向ａでカッター５とカッター５′とが、また、切断バーナ４と切断バーナ４′とが、それぞれ一列に並ぶようにすれば良い。
【００２１】
【発明の効果】
本発明のガラス管棒切断装置の場合、ガイドプレートをガラス管棒の軸方向に対して傾斜させてあるので、ガイドプレートがガラス管棒の絞部の内側斜面に摺接して、ガラス管棒を案内する間、ガイドプレートと絞部の内側斜面とが常に一定した位置で接触した状態を保ち、これにより、ガラス管棒の軸方向の移動量にばらつきを生じさせることなく、且つガラス管棒の絞部の内側斜面がガイドプレートに一定の力で押圧されて案内されるため、ガラス管棒の切断面が平坦面となり良好な面品位が得られる。
【図面の簡単な説明】
【図１】本発明の一実施例によるガラス管棒切断装置の構成略図である。
【図２】図１に示すガラス管棒切断装置に用いられているローラーチェーンの要部を示し、（ａ）は側面図、（ｂ）は水平断面図である。
【図３】図１に示すガラス管棒切断装置の要部の構成略図である。
【図４】図１に示すガラス管棒の要部の斜視図である。
【符号の説明】
１    ガラス管棒切断装置
２    ローラーチェーン
３    ガイドプレート
４    切断バーナ
５    カッター
６    ガラス管棒
６０    絞部
【図１】
0003826955.tif 000002
【図２】
0003826955.tif 000003
【図３】
0003826955.tif 000004
【図４】
0003826955.tif 000005